(57)【要約】滑走のために靴底（２４）の一領域（２８）に取り付けられた様々な構成のローラー（３２）を備え、他の靴底領域（２６）が歩行のために露出している靴（２０）。ローラー（３２）は、支持表面に沿って横方向に進むために、靴（２０）を上から見て、歩行方向に対し約０度と４５度との間の角度で延びる主な回転軸を画定するアクスル（３６）の回りを回転するように取り付けられる。これは、露出した靴底表面で走り、次に滑走するための「サーフィン」態勢に変えることによって、走行と滑走とを組み合わせた移動の方法を提供する。場合によって、ローラーは可動型トラックアッセンブリに取り付けられる。１つの特に小さなトラックアッセンブリには、コンプライアンスを可動するための楔状のブッシングを含む。
2005517513.tif 000002
【特許請求の範囲】
【請求項１】
通常の歩行方向を画定する靴であって、
当該靴内に収容される足指と少なくとも母指球の一部との下に位置する前方領域を画定すると共に、その上を歩行するための支持表面と接触するように前記前方領域にわたり露出した下部表面を有する靴底と、
前記靴底に固定され、前記前方領域の後方に配置されたローラーと、を備え、
前記ローラーは、支持表面に沿って横向きに滑走するために、当該靴の上から見て前記歩行方向に対し約０度と４５度との間の角度で延びる主な回転軸を画定するアクスルの回りを回転するように取り付けられた靴。
【請求項２】
前記ローラーは、着脱可能である請求項１に記載の靴。
【請求項３】
前記ローラーは、格納可能である請求項１に記載の靴。
【請求項４】
前記靴底は、歩行中に曲がるために可撓性である請求項１に記載の靴。
【請求項５】
前記ローラーは、当該靴の最下部分をなす請求項１に記載の靴。
【請求項６】
前記アクスルは、複数の選択可能な軸方向で前記靴底に取付け可能である請求項１に記載の靴。
【請求項７】
前記軸方向の１つにおいて、前記アクスルは、前記歩行方向に対し略垂直に延びる代替の回転軸を画定する請求項６に記載の靴。
【請求項８】
当該靴は、二つの同様のローラーを備えた請求項１に記載の靴。
【請求項９】
前記二つのローラーは、横方向に離間して前記靴底に配置されている請求項８に記載の靴。
【請求項１０】
前記二つのローラーの中心は、前記靴底の全長の約２０パーセントの横方向の間隔を有する請求項９に記載の靴。
【請求項１１】
前記二つのローラーは、前記歩行方向に沿って離間して配置されている請求項８に記載の靴。
【請求項１２】
前記二つのローラーの中央面は、前記靴底の全長の約３０パーセントの距離だけ、前記歩行方向に沿って離間して配置されている請求項１１に記載の靴。
【請求項１３】
前記ローラー間に設けられ、レールを受ける横方向に延びるチャネルを画定するグラインド表面をさらに備えた請求項１１に記載の靴。
【請求項１４】
前記グラインド表面は、回転部材の周囲表面で構成されている請求項１３に記載の靴。
【請求項１５】
前記グラインド表面は、当該靴の靴底に強固に固定されている請求項１３に記載の靴。
【請求項１６】
前記靴底は、当該靴底の前記下部表面に開口部を有するキャビティを画定し、
前記ローラーは、前記キャビティ内に部分的に配置され、前記キャビティ開口部を通って延びている請求項１に記載の靴。
【請求項１７】
前記ローラーアクスルは、前記ローラーに架かると共に前記靴底キャビティ内に配置される支持カップに、取り付けられている請求項１６に記載の靴。
【請求項１８】
前記支持カップは、前記靴底キャビティから着脱可能である請求項１７に記載の靴。
【請求項１９】
前記支持カップ、前記ローラーおよび前記アクスルは、一体として前記靴底キャビティから着脱可能である請求項１７に記載の靴。
【請求項２０】
前記支持カップは、前記ローラーが前記キャビティ開口部を通って延びる滑走用の第１の位置と、前記ローラーが前記キャビティ内に完全に収納される歩行用の第２の位置と、に選択的に前記キャビティ内で位置することが可能である請求項１７に記載の靴。
【請求項２１】
前記カップは、歩行用の前記第２の位置において、前記ローラーを前記キャビティ内に封じ込める請求項２０に記載の靴。
【請求項２２】
前記ローラーは、細長い請求項１に記載の靴。
【請求項２３】
前記ローラーは、樽形である請求項１に記載の靴。
【請求項２４】
前記ローラーは、ホイールを有する請求項１に記載の靴。
【請求項２５】
前記ローラーは、当該ローラーを前記アクスル上で支持するベアリングを収容する請求項１に記載の靴。
【請求項２６】
前記ベアリングは、転動体を収容する請求項２５に記載の靴。
【請求項２７】
前記ローラーは、円筒状である請求項１に記載の靴。
【請求項２８】
前記ローラーは、前記靴底のアーチ領域に配置される請求項１に記載の靴。
【請求項２９】
前記ローラーは、前記靴底に沿って少なくとも２．０インチ（５センチメートル）の範囲にわたる転動面を画定する請求項１に記載の靴。
【請求項３０】
前記転動面は、前記靴底に沿って少なくとも約２．５インチ（６．３ミリメートル）の範囲にわたる請求項２９に記載の靴。
【請求項３１】
前記転動面は、当該靴の全長の少なくとも約１５パーセントにおよぶ請求項２９に記載の靴。
【請求項３２】
前記転動面は、当該靴の全長の少なくとも約２０パーセントにおよぶ請求項３１に記載の靴。
【請求項３３】
前記転動面は、当該靴の全長の少なくとも約２５パーセントにおよぶ請求項３２に記載の靴。
【請求項３４】
前記アクスルは、対応マウントを介して前記靴底に固定され、
前記対応マウントは、前記靴底に対し前記アクスルの傾斜を許容して、前記ローラーでの滑走中に移動方向を変更する請求項１に記載の靴。
【請求項３５】
前記アクスルは、傾斜したキングピン軸を画定し、
前記アクスルは、回転方向に対しヨーイングを生じさせるように、前記キングピン軸の回りを回転する請求項１に記載の靴。
【請求項３６】
前記アクスルは、当該アクスルがそのキングピン軸の回りを回転されると弾力的に変形する対応マウントを介して、前記靴底に固定されている請求項３５に記載の靴。
【請求項３７】
前記アクスルは、二つのローラーを支持し、
一方のローラーは、前記キングピン軸の片側に配置される請求項３５に記載の靴。
【請求項３８】
前記ローラーは、円筒状である請求項３７に記載の靴。
【請求項３９】
前記ローラーは、転動体を収容する別個のベアリングを介して、前記アクスルの回りを回転するように取り付けられている請求項３７に記載の靴。
【請求項４０】
前記ローラーの中央面の間の前後距離は、約３．０インチ（７６ミリメートル）である請求項３７に記載の靴。
【請求項４１】
中央面の間の前記前後距離は、前記靴底の全長の約３０パーセントである請求項４０に記載の靴。
【請求項４２】
前記キングピン軸は、前記靴底に固定されたアクスル取付構造体のソケット内で回転するように配置された前記アクスルのピンによって一部画定される請求項３５に記載の靴。
【請求項４３】
前記アクスルは、前記靴底の前方領域と露出したヒール領域との間の前記靴底のアーチ領域に配置される請求項３５に記載の靴。
【請求項４４】
前記アクスルは、歩行のために前記靴底から選択的に着脱可能である請求項３５に記載の靴。
【請求項４５】
前記傾斜したキングピン軸を有する前記アクスルから横方向に離間して固定アクスルの回りを回転するように取り付けられたローラーを、さらに具備する請求項３５に記載の靴。
【請求項４６】
前記固定アクスルは、当該靴の内側に面する前記キングピン軸の片側に配置される請求項４５に記載の靴。
【請求項４７】
それぞれが対応する別個のアクスルの回りを回転するように取り付けられた少なくとも二つのローラーを更に備え、
前記各アクスルは、回転方向に対しヨーイングを生じさせるように当該アクスルがその回りを回転する傾斜キングピン軸を画定すると共に、前記靴底を横方向に離間して配置されている請求項３５に記載の靴。
【請求項４８】
各アクスルは、二つのローラーを支持し、
一方のローラーは、そのキングピン軸のいずれかの側に配置される請求項４７に記載の靴。
【請求項４９】
前記二つのローラーはともに、当該靴の全長の約２０パーセントのホイールベースを画定する請求項４７に記載の靴。
【請求項５０】
各キングピン軸は、当該靴の近接側に向かって上方に延びる請求項４７に記載の靴。
【請求項５１】
アクスルおよびそれらの関連したローラーは両方とも、前記靴底の露出した前記前方領域によって画定される靴幅内に、完全に配置される請求項３５に記載の靴。
【請求項５２】
前記ローラーは、少なくとも１．５インチ（３８ミリメートル）だけ離れた少なくとも二つの支持表面接触点を画定する請求項１に記載の靴。
【請求項５３】
前記接触点は、単一の回転部材上に画定される請求項５２に記載の靴。
【請求項５４】
前記回転部材は、第１のローラー傾斜方向の前記接触点の一方と、第２のローラー傾斜方向の前記接触点の他方とで、平坦な水平支持表面に接触するような形状に形成されている請求項５３に記載の靴。
【請求項５５】
前記回転部材は、両方の接触点で同時に平坦な水平支持表面に接触するような形状に形成されている請求項５３に記載の靴。
【請求項５６】
前記接触点は、独立して回転可能な少なくとも二つの回転部材上に画定される請求項５２に記載の靴。
【請求項５７】
通常の歩行方向を画定する靴であって、
当該靴内に収容される足指および母指球の下に位置する前方領域を画定すると共に、その上を歩行するための支持表面と接触するように前記前方領域にわたり露出した下部表面を有する靴底と、
前記靴底に固定され、前記前方領域の後方に配置されたローラーと、を備え、
前記ローラーは、当該靴の上から見て前記歩行方向に対し非垂直な主な回転軸を画定するアクスルの回りを回転するように取り付けられた靴。
【請求項５８】
通常の歩行方向を画定する靴であって、
その上を歩行するための支持表面と接触させるために露出した下部表面を備えると共に、当該下部表面に開口部を有するキャビティを画定する靴底と、
前記キャビティ内に部分的に配置されると共に、前記キャビティ開口部を通って延びるローラーと、を備え、
前記ローラーは、前記歩行方向以外の方向に支持表面に沿って滑走するために、主な回転軸の回りのみを回転するように取り付けられた靴。
【請求項５９】
通常の歩行方向を画定する踵部分および足指部分と、
歩行時に支持表面と接触するために露出した下部表面を有する可撓性の靴底と、を備えた靴であって、
前記靴底は、前記下部表面の開口部から前記足指部分の後方まで当該靴底内で延びるキャビティを画定し、
前記キャビティは、滑走時に滑走のために前記開口部を通って前記支持表面に対して延びる着脱可能なローラーを、少なくとも部分的に収納し、
前記ローラーは、当該靴の上から見て前記歩行方向に対し約０度と４５度との間の角度で延びる軸の回りを回転するように取り付けられた靴。
【請求項６０】
靴底を有するローラー靴において、
前記靴底に対応マウントを介して固定されたアクスルの回りを回転するように取り付けられた一対のローラーを有する可動型トラックアッセンブリであって、当該対応マウントが、前記ローラーでの滑走中に移動方向を変更するために前記靴底に対し前記アクスルの傾斜を許容する可動型トラックアッセンブリと、
前記可動型トラックアッセンブリの前記アクスルから横方向に離間して固定されたアクスルの回りを、回転するように取り付けられた非可動型ローラーと、
を備えたローラー靴。
【請求項６１】
通常の歩行方向をそれぞれが画定する一足の靴を履く工程であって、
当該靴内に収容される足指と少なくとも母指球の一部との下に位置する前方領域を画定すると共に、その上を歩行するための支持表面と接触するように前記前方領域にわたり露出した下部表面を有する靴底と、
前記靴底に固定されて前記前方領域の後方に配置されたローラーであって、支持表面に沿って横向きに滑走するために、当該靴の上から見て、前記歩行方向に対し約０度と４５度との間の角度で延びる主な回転軸を画定するアクスルの回りを回転するように取り付けられたローラーと、を備えた一足の靴を履く工程と、
支持表面に対し前記靴底の前記前方領域を接触させることによって、前記通常の歩行方向に対応する所望の方向に加速する工程と、
前記支持表面に前記ローラーを接触させて、前記靴によって画定される前記通常の歩行方向に対して角度のある前記所望の方向に滑走するために、前記靴を再配置する工程と、
を含む身体の移動方法。
【請求項６２】
前記支持表面は、歩道を含む請求項６１に記載の方法。
【請求項６３】
前記加速する工程は、前記靴底の前記前方領域での歩行を含む請求項６１に記載の方法。
【請求項６４】
前記加速する工程は、前記靴底の前記前方領域での走行を含む請求項６１に記載の方法。
【請求項６５】
前記靴は、当該靴によって画定される前記通常の歩行方向に対し略垂直な方向に滑走するように再配置される請求項６１に記載の方法。
【請求項６６】
前記再配置する工程は、前記支持表面から各靴を持ち上げ、当該靴を前記加速方向と反対方向へ回転させ、前記支持表面に前記ローラーを接触させることで行われる請求項６１に記載の方法。
【発明の詳細な説明】
【技術分野】
【０００１】
技術分野
本発明は、歩行と滑走とを兼用できるようにした靴に関する。
【背景技術】
【０００２】
背景
一時的にローラースケートとして機能するように容易に変換できる歩行靴について、前世紀以降および今世紀初めに幾つかの提案があった。このような靴の基本的な利点は、それらが提供する移動状態の柔軟性が促進されることである。大抵は、実質的に任意の通常の歩行靴の裏面に固定した硬質スケートフレームについては数年前から良く知られている。この硬質スケートフレームによって、装着者は、標準のローラースケートを履いているように、２個を前方に２個を後方に配置した４個のホイールで、前方または通常の歩行方向に進むことができる。市場には、ホイールを収容する少なくとも一つの歩行靴があり、このホイールは、歩行の際には靴底内に引き込まれると共に滑走の際には延ばされる。確かに、このような靴は、引き込み時にこのようなローラーを完全に収納できる十分な厚みの靴底を必要とするが、それらの回転部品を歩行中に個別に支持する必要がない利点がある。
【０００３】
これらや標準ローラースケートでの滑走状態において、装着者は一般に、アイススケートと同様の動きで、各足で前方推進力をうむことで前進することができる。移動方向は、一般に足の前後すなわち爪先／踵を通る軸線で決まる。インラインスケートは、それらのホイールを靴の前後中心線に沿って一直線上に揃えられ、ホイールのキャンバ角を変えるためにスケートを傾斜させることによってある程度の方向制御ができる。あるインラインスケートは、前後中心線と垂直な方向のレールを滑降するために採用されてきた。これは、一対の中間のローラー間で、またはホイール間のスキッドプレートでレールに位置決めして、そのレールを滑り降りることによってなされていた。
【０００４】
他の靴として、靴底の踵部分のキャビティ内にローラーを着脱可能に取り付けたものもある。歩行のために、キャビティからローラーを完全に取り外すことができる。滑走時では、装着者は、練習とバランス感とで、足首を固定し、すねを曲げて円筒状ローラーで前方方向に進むことができる。前方方向の推進力を得るためには、装着者は、靴底の前方部分で走り、次に、ローラーの形状および向きで決まる前後方向の継続した滑走ができるように、背をそらして両方の靴の踵部分のローラーだけを地面に接触させるように指示される。
【０００５】
スケートボーディングも若者になじみのある移動やスポーツの他の状態である。スケートボードは一般に、前方および後方の「トラック」で支持されるボードを特徴とし、各トラックは、傾斜可能なアクスル上に取り付けられた一対のホイールを有する。ボードでの前方への滑走中、左右の重量変動は、ボードを傾けると共に、ホイールの回転方向を変化させてボードの制御可能な操縦を提供する。したがって、この回転方向はホイールアクスルの向きで決まるが、通常、回転方向はボードの前後の主な軸線に沿っている。サーフボード上のサーファーの態勢と同じように、一方の足の後ろに他方の足をおいて、両足を主なボードの軸線に対し角度をもって乗せることはスケートボーダーにとっては普通のことである。
【発明の開示】
【発明が解決しようとする課題】
【０００６】
要約
一般に楽しく安定した移動状態は、靴の前後中心線で決まる歩行方向以外の方向に沿って滑走することができる変換可能な靴や、改良された滑走用靴およびトラックアッセンブリ構成によってもたらされることが分かった。
【課題を解決するための手段】
【０００７】
発明の１つの形態によれば、靴は、通常の歩行方向を画定すると共に靴底を有し、靴底が、靴内に収容される足指および少なくとも母指球の一部の下に位置する前方領域を画定する。靴底は、前方領域にわたって露出した下部表面を有し、下部表面が歩行のための支持表面と接触する。靴は、靴底に固定され、前方領域の後方に配置されたローラーも有する。ローラーは、支持表面に沿っての横向き滑走のために、靴を上から見て、歩行方向に対して約０度と４５度との間の角度で延びる主な回転軸を画定するアクスルの回りで回転するように取り付けられる。
【０００８】
「通常の歩行方向」は、一般に靴の長さ方向に沿って延びる前後、すなわち爪先／踵を通る軸線で画定される方向を意味する。
【０００９】
好ましくは、ローラーは着脱可能または格納可能であり、靴底は歩行中に快適に曲がる十分な可撓性がある。
【００１０】
多くの場合、ローラーは靴の最下部分を成す。
【００１１】
ある実施形態において、アクスルは、複数の選択可能な軸方向で靴底に取付け可能である。ある場合ではアクスルは、１つのこのような方向において、歩行方向に対し略垂直に延びる代わりの回転軸を画定する。
【００１２】
ある靴はこのようなローラーを２個有し、これらは靴底の横方向に離間して配置される。好ましくは、２個のローラーの中心は靴底の全長の約２０パーセントの横方向の間隔を有する。ある場合では、ローラーは歩行方向に沿って離間して配置され、この場合、２個のローラーの中央面が、靴底の全長の約３０パーセントの距離だけ歩行方向に沿って離間して配置されるのが好ましい。
【００１３】
ある実施形態において、靴は、ローラー間に配置され、レールを受ける横方向に延びるチャネルを画定するグラインド表面をも有する。グラインド表面は、例えば、回転部材の外周面であるか、または靴底に強固に固定されてもよい。
【００１４】
ある場合では、靴底は、靴底の下部表面に開口部を有するキャビティを画定し、ローラーがそのキャビティ内に部分的に配置され、そのキャビティ開口部を通じて延びる。
【００１５】
幾つかのこのような場合、ローラーアクスルは、ローラーに架かる支持カップに取り付けられ、靴底キャビティ内に配置される。支持カップは、靴底キャビティから着脱可能であるか、または支持カップ、ローラーおよびアクスルが一体として靴底キャビティから着脱可能であってもよい。
【００１６】
ある実施形態において、支持カップは、ローラーがキャビティ開口部を通じて延びる滑走用の第１の位置と、ローラーがキャビティ内に完全に収納される第２の位置とに、キャビティ内で選択的に位置することが可能である。好ましくは、カップは、歩行用の前記第２の位置においてローラーをキャビティ内に収納する。
【００１７】
ローラーは、次の１以上の特徴を有する。ローラーは細長いこと、ローラーは樽形状であること、ローラーはホイールであること、ローラーはこれをアクスル上で支持するベアリング（転動体を備えたものなど）を収容すること、および／またはローラーは円筒状であること。
【００１８】
多くの実施形態において、ローラーは靴底のアーチ領域に配置される。
【００１９】
ある構造において、ローラーは、靴底に沿って、少なくとも約２．０インチ（５センチメートル）、好ましくは少なくとも２．５インチ（６．３センチメートル）の距離に及ぶ転動面を画定する。転動面は、靴の全長の少なくとも約１５パーセント（より好ましくは、少なくとも約２０パーセント、最も好ましくは少なくとも約２５パーセント）に及ぶのが好ましい。
【００２０】
ある有利な構成において、アクスルは、ローラーでの滑走中に移動方向を変更するために、靴底に対するアクスルの傾斜を可能にする対応マウントを介して靴底に固定される。
【００２１】
ある場合において、アクスルは、回転方向に対しヨーイングを生じさせるようにアクスルがその回りを回転する傾斜キングピン軸を画定する。アクスルは、例えば、アクスルがそのキングピン軸の回りで回転されると弾性変形する対応マウントを介して、靴底に固定されてもよい。
【００２２】
ある実施形態において、アクスルは２個のローラーを支持し、その一方がキングピン軸のいずれかの側に配置される。ローラーは、転動体を包含する独立のベアリングを介してアクスルの回りで回転するように取り付けられる、例えば、円筒状であってもよい。ローラーの中央面間の前後距離は、約３．０インチ（７６ミリメートル）または靴底の全長の約３０パーセントであるのが好ましい。
【００２３】
キングピン軸は、ある実施形態において、靴底に固定されたアクスル取付構造のソケット内で回転するように配置されたアクスルのピンによって、一部画定される。
【００２４】
アクスルは、靴底の前方領域と露出したヒール領域との間の靴底のアーチ領域に配置されるのが好ましく、歩行のために靴底から選択的に着脱可能であってもよい。
【００２５】
１つの好ましい実施形態において、靴は、滑走中の付加的安定性のため、傾斜キングピンを有するアクスルから横方向に間隔をおいて配置された固定アクスルの回りを回転するように取り付けられたローラーをも有する。好ましくは、固定アクスルは、靴の内側に面するキングピンの片側に配置される。
【００２６】
ある実施形態において、靴は、それぞれが対応する別個のアクスルの回りを回転するように取り付けられた少なくとも２個のローラーを有する。各アクスルは、アクスルが回転方向に対しヨーイングを生じさせるようにその回りを回転する傾斜キングピン軸を画定し、両アクスルは靴底の横方向に間隔をおいて配置される。
【００２７】
ある構成において、各アクスルは２個のローラーを支持し、一方がキングピン軸のいずれかの側に配置される。好ましくは、２個のローラーは共に、靴の全長の約２０パーセントのホイールベースを画定する。
【００２８】
ある場合では、各キングピン軸は、特に積極的な操縦性のため、靴の近接側に向かって上方に延びる。
【００２９】
好ましくは、両方のアクスルとそれらの関連したローラーとは、靴の全幅を増大させないように、靴底の露出した前方領域で画定された靴幅の範囲内に完全に配置される。
【００３０】
ある実施形態において、ローラーは、少なくとも１．５インチ（３８ミリメートル）だけ離された少なくとも２つの支持表面接触点を画定する。接触点は、単一の回転部材上に、または少なくとも２つの独立して回転可能な回転部材上に画定されてもよい。ある場合では、回転部材は、第１のローラー傾斜方向の接触点の一方と、および第２のローラー傾斜方向の接触点の他方と、で平坦な水平支持表面と接触するような形状にされる。他の場合では、回転部材は、両接触点において同時に平坦な水平支持表面と接触するような形状にされる。
【００３１】
本発明の他の態様によれば、靴は、通常の歩行方向を画定し、靴内に収容される足指および母指球の少なくとも一部の下に位置する前方領域を画定する靴底を有する。靴底は、歩行のための支持表面と接触する前方領域にわたって露出した下部表面を有する。靴は、靴底に固定され、前方領域の後方に配置されたローラーをも有する。ローラーは、靴の上から見て、歩行方向に対して非垂直をなす主な回転軸を画定するアクスルの回りを回転するように取り付けられる。
【００３２】
本発明のこの態様の多様な実施形態には、第１に挙げた態様の実施形態に関する上述の特徴をも含む。
【００３３】
本発明の第３の態様によれば、靴は、通常の歩行方向を画定し、歩行のための支持表面と接触するように露出した下部表面を有する靴底を有する。靴底は、靴底の下部表面に開口部を有するキャビティを画定し、ローラーは、キャビティ内に部分的に配置され、キャビティ開口部を通じて延びる。ローラーは、歩行方向以外の方向に支持表面に沿っての滑走のための主な回転軸の回りでしか回転しないように取り付けられる。
【００３４】
本発明のこの態様の多様な実施形態には、第１に挙げた態様の実施形態に関する上述の特徴をも含む。
【００３５】
本発明の第４の態様によれば、靴は、踵部分と爪先部分とを有し、通常の歩行方向を画定し、歩行状態で支持表面と接触する露出した下部表面を備えた可撓性靴底を有する。靴底は、下部表面における開口部から爪先部分の後方の靴底内に延び、滑走状態で支持表面に対する滑走のための開口部を通じて延びる着脱可能なローラーを少なくとも部分的に収容するキャビティを画定する。注目すべきは、ローラーは、靴の上から見て、歩行方向に対し約０度と４５度との間の角度で延びる軸の回りを回転するように取り付けられる。
【００３６】
本発明のこの態様の多様な実施形態には、第１に挙げた態様の実施形態に関する上述の特徴をも含む。
【００３７】
本発明の第５の態様によれば、ローラー靴は、靴底と、ローラーでの滑走中に移動方向を変更するために靴底に対しアクスルの傾斜を可能にする対応マウントを介して靴底に固定されたアクスルの回りを回転するように取り付けられた一対のローラーを備えた可動型トラックアッセンブリと、可動型トラックアッセンブリのアクスルから横方向に間隔を空けて配置された固定アクスルの回りを回転するように取り付けられた非可動型ローラーと、を有する。
【００３８】
本発明のこの態様の多様な実施形態には、第１に挙げた態様の実施形態に関する上述の特徴をも含む。
【００３９】
本発明の第６の態様によれば、身体移動の方法が提供される。その方法は、それぞれが通常の歩行方向を画定する一足の靴を履くことを含む。その一足の口はそれぞれ、靴内に収容された足指および少なくとも母指球の一部の下に位置する前方領域を画定し、歩行のための支持表面と接触する前方領域にわたって露出した下部表面を有する靴底と、靴底に固定され、前方領域の後方に配置されたローラーとを有し、ローラーは、支持表面に沿って横向きに滑走するために、靴を上から見て、行方向に対し約０度と４５度との間の角度で延びる主な回転軸を画定するアクスルの回りを回転するように取り付けられる。この方法は、支持表面に対し靴底の前方領域を接触させることによって通常の歩行方向に対応する所望の方向に加速させ、次に靴を支持表面に対し接触させて、靴によって画定された通常の歩行方向に対して角度をもった所望の方向に進むように再位置決めすることをも含む。
【００４０】
ある場合には、支持表面は歩道のものである。
【００４１】
加速する工程は、例えば、靴底の前方領域での歩行または走行を含んでもよい。
【００４２】
ある場合には、靴は、靴によって画定された通常の歩行方向に対して略垂直な方向に進むように再位置決めされる。
【００４３】
方法のある実施において、靴の再位置決めは、各靴を支持表面から持ち上げ、加速方向を避けてその靴を回転させ、次にローラーを支持表面上に接触させることを含む。
【００４４】
この方法の多様な実施形態は、第１に挙げた態様の実施形態に関する上述の他の特徴を備えた靴も含む。
【００４５】
本発明の他の態様によれば、可動型アッセンブリは、傾斜キングピンのいずれかの側の区画を画定する硬質取付ブラケットと、キングピンに対しほぼ垂直に延び、一対のローラーを支持するアクスルと、そのアクスルは、操縦のためのキングピンについて角度を付けて取り付けられ、ブラケットの区画内に配置され、中立アクスル位置からの角度付け中にブラケットとアクスルの幅広近接表面の間で弾性圧縮されるように配置されて、アクスルをその中立位置に向かって付勢する対応ブッシングブロックとを含む。
【００４６】
ある実施形態では、ブッシングは、Ｖ字状に形成され、および／またはポリウレタンから成形される。
【００４７】
有利に、トラックアッセンブリのある実施形態は、約１．０インチ（２５ミリメートル）よりも低い全高を有し、靴底の下に直接取り付けるのに適している。
【００４８】
ある場合では、区画は、ブラケット基部からキングピン側に延びる中央ブラケットウエブのいずれかの側に画定される。
【００４９】
ある実施形態では、アクスルは、キングピンを受け入れる開口円形スロットを画定する中央体を有し、そのスロットは、ピンを半径方向に保持するための、断面で、１８０度超の画定された円を包含する。
【００５０】
本発明の１つまたはそれ以上の細部については、添付図面および以下の説明に記述されており、本発明の他の特徴、目的および利点は、それらの説明および図面から、および請求項から明白となろう。
【００５１】
多様な図面の同参照符号は同要素を示す。
【発明を実施するための最良の形態】
【００５２】
詳細な説明
図１および図２は、本発明の幾つかの態様に従って、サーファーやスケートボーダーがとる多くの構えすなわち姿勢も、歩行方向以外の方向に沿って進むように特に適合されたローラーを靴底内に有する靴を履いて得られることを示す。例えば、図１は、ユーザ１０の両足を運動方向に対してほぼ直角にして、コンクリート歩道１２に沿って進むユーザ１０を示す。靴１４は、靴底のアーチ領域に転動体１６を有しており、ユーザは、横運動に対し自重の平衡を直接的に転動体上で保つことができる。可撓性の靴の靴底の転動体１６を越えた爪先領域には、ユーザがローラーを接触させないで爪先領域で走行または歩行することができる十分な空間があることが好ましい。これは、継続運動させるためのローラーでのサーフィン姿勢をとる前に助走をつけるのに有用となる。ある場合では、ローラーは、図２で示されるように、縁石の縁部１８、または傾斜レールまたは手すりに沿ってのサーフィンを可能にする。
【００５３】
図３ないし図５で示された実施形態を先ず参照するに、靴２０は、上方部分２２と靴底２４とを有する。靴の上方部分は公知の任意の適当な構成であればよいので、上方部分２２については詳細を図示しない。上方部分２２は、示されるように、履いている人の足首を覆うべく上方に延びるか、または低い位置でカットされたものであってもよい。あるいは、上方部分２２は、ブーツ形式の履いている人のふくらはぎまで延びても良い。上方部分２２は、可撓性材料、または、例えばスキーやスケートのブーツ外殻に採用されるように硬質形式のものであってもよい。同様に、靴底２４は、用途に応じて、可撓性または硬質であっても良い。１つの好ましい実施形態において、靴底２４は、前方領域２６、アーチ領域２８およびヒール領域３０と共に可撓性エラストマから成形される。足指と母指球の部分とを覆う前方領域２６の可撓性、および前方領域２６とアーチ領域２８との間の移行部分の可撓性は、通常の歩行中や「つま先歩行」中に靴底２４を撓ませることができる。ここで、「つま先歩行」とは、履いている人が足の前方領域だけで歩くことをいい、子供によって「つま先歩き」と称される。
【００５４】
円筒状のローラー３２は、アーチ領域２８のキャビティ３４内に取り付けられる。ローラー３２は、靴の前後方向に延びるアクスルピン３６の回りを回転するように取り付けられるので、ローラー３２は図４の矢印で示されるように自由に回転できる。この図では、ローラー３２は、円筒状の外部表面で、長さが約１．０インチ（２５ミリメートル）、および直径が約１．２５インチ（３２ミリメートル）しかない。他のローラー構造の例が以下で議論される。硬質のアクスル取付カップ３８又は他の支持体は、靴底２４内にインサート成形されて、アクスルピン３６が着脱自在に固定される取り付け構造を提供する。アクスルピン３６の両端部は、カップ３８の前方縁部および後方縁部の対応凹所にはまり込んでおり、アクスルピン３６の両端部は、そのキャビティからローラー３２を手動で引っ張ることによってそれらの凹所から取り外すことができる。ゆえに、装着者は、道具を使用したり靴を脱いだりすることなく、ローラー３２を容易に取り外すことができる。
【００５５】
図３および図４に示されるように、ローラー３２の外部表面は、靴底２４の最下部分の下に延びるので、装着者は、歩道などの平らな支持表面に、靴底の他のいかなる部分を接触させることなく、ローラー３２を接触させることができる。さらに、図４に示されるように、靴底２４の側縁部は、面取りされるか、または靴がローラー３２のいずれの側に傾いても地表との隙間が確保されるように除去される。好ましくは、靴底は、少なくとも一方向に傾斜クリアランスθが少なくとも約１０度となるように除去され、ローラーは、靴底の最も低い周囲の表面から下側に露出した高さ「ｈ」が約０．５インチ（１３ミリメートル）を超えないように、十分に埋め込まれる。
【００５６】
図５Ａおよび図５Ｂの実施形態では、アクスルピン取付カップ３８ａは、４つのアクスルピン取付凹所４０を画定する。その前後の縁部に設けられたひと組は、図５Ａの横方向に転がる方向にローラー３２を取り付けるためのものであり、その両側縁部に設けられたもうひと組は、図５Ｂで示されるように、前方に転がる方向にローラー３２を取り付けるためのものである。また、ローラー３２は都合良く通常の歩行のために取り外されるが、示されたいずれの向きにも素早くはめ込まれるので、装着者は靴を選択的にスケートまたはサーフィン状態に構成できる。
【００５７】
図６および図７の実施形態では、靴２０ａは、そのアーチ領域に配置された砂時計状ローラー４２を有し、その最大外径が約２．０インチ（５１ミリメートル）、その中央の直径が約１．０インチ（２５ミリメートル）となっている。その形状により、ローラー４２は、縁石の縁部（図２参照）、または極端なスポーツ操縦のための階段の手すりなど、横方向に延びる支持表面形状を受ける中央のチャネル４４を画定する。平坦な支持表面を進むとき、ローラー４２は、その２つの間隔を空けた最大径領域４６でのみ表面と接触し、低い転がり接触面積および低い対応転がり抵抗を提供すると同時に、安定性のための比較的長い範囲「Ｌ」の接触をも提供する。この場合、長手方向の転がり範囲「Ｌ」は、約２．７５インチ（７０ミリメートル）、または靴底２４ａの全長の約２５パーセントである。これらの図で示された、転がり範囲「Ｌ」を超えるローラー４２の２つの端部における転がり表面の湾曲は、靴がローラーの一端だけを地面と接触させるために前後方向に傾けられたときに、ある程度の操縦効果を与える。
【００５８】
この実施形態の他の特徴は、靴底２４ａに埋め込まれたアクスルピン支持構造体３８ａが複数組のアクスルピン収容部４０を画定し、複数組のアクスルピン収容部４０が異なる角度に配置されるアクスル軸を画定しており、ローラー４２を３つの明確な位置のいずれかに挿入できることである。中央位置では、示されるように、ローラー４２は、通常の歩行方向「Ｄ」と一直線上に揃う前後軸１７０の回りでしか回転しないので、ユーザは正確に横方向に滑走することができる。またある時には、ユーザは、横方向から僅かに角度をもった方向に進もうとする。そのような場合、ユーザは、ローラー４２をその中心位置から素早く取り外し、回転軸が前後方向から約１５度の角度αだけ外れる他の２つの位置のうち１つに、そのローラーを再び挿入してもよい。サーフィンの安定性のためには、靴の後方のローラーを中央位置にしたままで、靴の前方のローラー４２を傾斜位置に配置したほうがよい。
【００５９】
さらなる安定性のため、一方または両方の靴は、靴の幅に沿って間隔をおいて設けられた一対のローラーを備えてもよい。例えば、図８および図９は、靴底のアーチ領域に並列に取り付けられた二つのローラー４２を備えた靴を示す。この場合、両方のローラー４２は、それらの中央のチャネル４４が一直線上に揃えられ、靴に沿って前後方向に延びる平行の軸の回りを回転する。上述の実施形態と同様に、ローラー４２は、歩行または走行のために着脱可能である。ローラーは、回転移動の方向に沿って距離「Ｘ」だけ離れた点で地面と接触し、各靴の安定性を高める。これは、長時間使用中の太股内側の緊張を低減するのに特に重要となる。好ましくは、距離「Ｘ」は少なくとも約２．０インチ（５１ミリメートル）である。
【００６０】
図１０ないし図１２に示す靴は、長方形の四隅に配置された四つの回転部材４８を有する。二つのローラー４８は靴の踵領域に並列に配置され、他の二つのローラー４８は靴のアーチ領域の直前方に並列に配置されており、ゆえに、ローラーのパターンはアーチ領域を包含する。ローラーのこの配置が優れた安定性を提供するのは、接地点が、約３．０インチ（７６ミリメートル）の長さＬ１および約２．０インチ（５１ミリメートル）の幅Ｗ１の広い平面領域を画定し且つ包含するからである。各ローラー４８は、前後軸の回りを回転すると共に樽形であり、その樽の湾曲は、後輪または前輪のいずれか一方だけで転接させるために、靴を前方または後方に傾けることによってある程度の操縦を可能にする。
【００６１】
横方向に転がる他のローラー配置も考えられる。例えば、図１３および図１４は、ずらせたパターンで配置した４個のローラー４８を示し、それらの接地点は平面の平行四辺形の隅を画定する。これは、ローラーが横並びに配置される場合よりもローラーの横方向の離間距離Ｗ２を狭く保ち、しかも大きな回転径を有するローラーの使用を可能にする。ローラー４８は、上述のように、歩行のために容易に取り外すことができるように取り付けられるか、または示されたように、滑走用靴としてのみ使用する目的で靴底に固定されてもよい。前方のローラー４８は、つま先歩きができるように、靴のつま先から十分離れた距離に取り付けられることが好ましい。
【００６２】
横方向に転がる転動体４８は、横方向の滑走とグラインド（grinding）との兼用のアーチローラーまたはスキッドプレートと組み合わされてもよい。図１５および図１６は、図１０の靴の四つのローラー配置の構成を有する靴であるが、前後のローラー４８間の靴底のアーチ領域にグラインドローラー５０を更に備えた靴を示している。ローラー４８は、グラインドローラー５０が突き出るよりも遠くに靴底から突出しているので、横方向の滑走時には、ローラー４８だけが地面と接触する。但し、ユーザは、横方向の滑走状態からアーチローラー５０で擦るためにレール上に飛び乗り、グラインドローラーの中央の径減少部分５１でレールに受け止められてもよい。この実施形態のローラー４８、５０はそれぞれ、各ローラーアクスルの前側端部を支持構造体３８ｂ内の対応凹所から抜き出し、次に靴底から離れるようにアクスルを傾け、アクスルの他端を支持構造体内の対応ソケットから引き抜くことによって歩行状態または交換のために取り外されてもよい。
【００６３】
図１７および図１８で示されるように、グラインドローラーの代わりとしてグラインドプレート５２を用い、これを靴の中心線に沿って靴底内に埋め込むこともできる。グラインドプレート５２は、レールなどを受け止めてそれに沿って滑る凹面中央部分を有する。この特定の実施形態では、靴は、靴のアーチ領域の靴底側部に覆い重なるスライドプレート５４を備え、スライドプレート５４は、ある操縦のためグラインドプレート５２とともにレールと接触する。
【００６４】
図１９および図２０で示された他の４個式ローラー構造では、４個の細長い凹状ローラー５０が２列平行に配置され、２個のローラーが踵領域に、他の２個のローラーがアーチ領域の前方に配置される。これらのローラーは一緒になって、靴が横方向に進むことができる８つの個別の接地点を提供し、２つの独立のグラインドチャネルを画定する。
【００６５】
上述の実施形態は、全て、靴の靴底に永久的に埋め込まれた支持構造体に固定される転動体を有するものとして示されている。他の場合では、支持構造体は着脱可能である。例えば、図２１〜２３は、滑走のために（図２２および図２３）露出でき、歩行のために（図２１）再配置できる２個の踵転動体４８を備えた靴を示す。ローラー４８は、平行アクスルピン３６の回りを回転し、それらのピン３６の両端部は、着脱可能なローラーカップ５６の２つの側部に固定される。閉じた端部を内側にしてヒールキャビティ５８内に配置されると（図２２）、カップ５６は、地面上を滑走するために、ローラー４８の転がり表面が靴の靴底表面の周囲から下に延びるように、ローラー４８を位置決めし得る。歩行または走行のため、カップは、手で取り外されて、その閉じている方を外側にしてキャビティ５８内に再配置されると、カップ５６の底部表面が靴の底部の靴底表面と面一となり、ローラー４８は、完全に収納されて保護される。コインまたはキーを用いてローラーカップを靴底からさっと戻すために、細長い穴（図示せず）を設けてもよい。２個のヒールローラーが示されているが、他の配置には、単一のヒールローラー、または、トウローラー、アーチローラーもしくは複数のアーチローラーと組み合わせたヒールローラーを含む。単一のローラーカップは、正方形、あるいは対称足跡を有するように形成されるので、滑走状態において、横方向の滑走、または前方への「スケート状態」滑走のいずれに対してもローラーを配置すべくカップを靴底内に配置できる。
【００６６】
歩行状態のために靴の転動体を再位置決めする他の手段も考えられる。例えば、図２４〜２７で示された靴は、アクスルピンを備えたヒールローラーおよびトウローラーを有する。このアクスルピンは、横へのホイール滑走のために（図２６および図２７）これを位置決めすべく、取付カップ３８ｃ内の一組の凹所４０にはめ込むことができ、ホイール転動面を靴底の底部表面から下に延ばす。歩行のために、ユーザは、アクスルピンをその凹所の組から取り外し、それらのアクスルを１８０度回転させ、第１の凹所の組合せよりも深い第２の組の凹所（図２４および図２５）内の取付カップ３８ｃ内にそれらを戻すようにはめ込むことで、ローラーは靴底の下部表面より完全に上になるように位置決めされる。この取付手段は、ローラーの多様な構成や組合せと共に有利に用いられてもよい。
【００６７】
図２８Ａ〜２８Ｈは、考えられる多様なローラー構造の数例を示す。図２８Ａを先ず参照するに、ローラー４２は、低摩擦材料、好ましくは鋳造の熱硬化性ポリウレタンまたは射出成形された熱可塑性のポリウレタンの転動面６０を有する。適当な熱硬化性樹脂には、ユニロイヤル（Ｕｎｉｒｏｙａｌ）  Ｂ８３６ＭＤＩのような、メチレンジイソシアネート（ＭＤＩ）、およびトルエンジイソシアネート（ＴＤＩ）を含む。他の適当な材料には、ポリエーテルまたはポリエステルを基材としたポリオール或いはゴムを含む。多様な硬度および摩擦特性の材料が、米国特許第５，８２９，７５７号に記載されているように、その開示は完全に記載されているかのごとく引用によりここに組み込まれる、単一の転動面に組み合わされてもよい。
【００６８】
低摩擦転がり表面材料は、金属またはプラスチックの硬質コア６２上に射出成形され、硬質コア６２は、ボールベアリング６４のような転動体軸受のアウターレースが圧入される端部の穴を画定し、ボールベアリング６４は、コア６２および低摩擦材料６０をアクスルピン３６の回りで回転させる。ベアリング６４のインナーレースは、示されるようにアクスルピン３６を軸方向に拘束する。好ましくは、示された全アッセンブリは、軸受または転動面のいずれかが摩耗すると交換される。図６に関して上述したように、ローラー４２は、凹状の中央部分４４と、２つの接地点を画定する２つの球状の凸状端部４６を有する。一方、図２８Ｂのローラー６６は、より広い接地を提供するが、傾けられると操縦効果を提供しない円筒状端部６８を有する。単品の回転部材である代わりに、図２８Ｃのローラー構成のように、転動面は、独立して回転可能な部材を横切って画定されてもよい。この構成では、低摩擦材料の２つの凸状ローラー４８は、中央の凹状ローラー７０のいずれかの側のベアリング６４で回転するように取り付けられ、凹状ローラー７０は、ブッシュ７２上でアクスルピン３６ａの回りを独立して回転するように取り付けられる。全体的に、３つの転動体の転動面は図２８Ａのローラー４２の形状に近似するが、凹状ローラー７０は、凸状ローラー４８よりも高い転がり摩擦材料のような異なる材料で、形成されてもよい。図２８Ｄに示されるように、中間の転動体７０ａの外部表面は、円筒状であっても良い。
【００６９】
上述のごとく、樽状または凸状の転動体は、ローラーまたは複数のローラーの回転軸を傾けることによって、滑走方向制御を提供または操縦するのに有用である。図２８Ｅおよび図２８Ｆは、２つのこのようなローラー構成を示す。図２８Ｅにおいて、単一の細長いローラー７４は、図２８Ａのローラー４２と同じ基本構成であるが、外側の低摩擦材料６０ａは、ローラーの中間において最大径を有する凸状の外径を有するように、成形されている。操縦するために、アクスルピン３６は、地面に対し靴を傾けるように断面図で示された面内で傾けられると、ローラーの中間の一方の側または他方の側のローラーの外部表面を接触させる。同一の効果は、図２８Ｆに示されるように、同軸に取り付けられた独立して回転する２つの凸状要素４８で得られるが、横方向の安定性はある程度増加する。
【００７０】
転動体の外部表面は、転動体がそのアクスルの回りを回転すると滑走方向に連続的変化を起こすように、テーパー状にできることも留意されよう。図２８Ｇでは、ローラー７８の端部分７６の転動面は、左回転方向に滑走する円錐状の表面に沿っている。２つのこのような転動体７８は、靴を傾けることによって操縦できるようにするために、それらの大きい方の端部を互いに向かい合わせ、靴底の前後中心線に沿ってそれらの端部が並ぶように配置される。地面と平行な靴底とすると、靴は、ローラーの２つのより大きな端部で前方方向に転がる。図２８Ｈでは、テーパー状のローラー８０ａおよび８０ｂは、同一効果を得るための、同じ円錐延長上にある外部表面を有する。
【００７１】
操縦制御は、靴底内にアクスルピン取付構造体の所量のコンプライアンスを組み込むことによるように、対応マウントで回転部材を靴底に取り付けることによって達成されてもよい。
【００７２】
より積極的な操作性は、操縦入力に応答してホイールアクスルの向きを変化させるローラーマウントまたはホイールマウントで提供される。例えば、図２９ないし図３１の靴８２は、スケートボードにペアで通常採用されるものと同タイプの、フルアクスルトラックアッセンブリ８４を備えている。トラックアッセンブリ８４のベース８６は、靴底のアーチ領域に固定される。トラックアッセンブリ８４はアクスル８８を支持し、スケートボードホイールと同様の構造のほぼ円筒状の２個のローラー９０が、アクスル８８の回りを独立して回転する。図３１に示されるように、アクスル８８は、ベース８６のソケット内に収容され、ソケット内で自由に回転できるピン９２を有する。また、アクスル８８は、２つの弾性ブッシュ９６ａと９６ｂの間で傾斜ショルダーボルト９４によってベース８６に固定される。この配置は、アクスル８８がブッシュ９６ａおよび９６ｂの圧縮によって図２９の面内で傾けられるとアクスル８８を操縦方向に（すなわち、図３０の面内で）僅かに回転させ、直感的方向（すなわちヨーイング）制御を提供する。
【００７３】
図３１および図３２の組合せを見ると、一足の靴は両方とも、「サーフィン」状態たる横向き滑走において各足の独立回転制御のためのトラックアッセンブリ８４を、備えている。示された配置において、左足のトラックアクスル８８は左に延びるピン９２を有し、右足トラックアクスル８８は右に延びるピン９２を有するので、トラックアクスルは、トラックアクスルを互いに同期せずに回転させるために、それらのそれぞれの靴が同方向に傾けられると逆方向に旋回する。
【００７４】
トラックアッセンブリ８４は、歩行または走行状態に移行するために速やかに取り外せるように、靴底に取り付けることができる。図３３ないし図３５では、トラックアッセンブリ８４ａは、靴底にトラックアッセンブリのベースを着脱可能に固定する４つの簡易着脱締結器９８を有する。一方、図３６ないし図３８では、全トラックアッセンブリ８４ｂは、リング１０２によって容易に捕らえられ、靴底から引かれる単一簡易着脱ピン１００で靴底に固定される。所定位置にあるとき、ピン１００は、トラックアッセンブリ８４ｂのベースから延びる取付ボス１０６内の穴１０４を貫通して延び、特定の滑走方向および操縦状態に対しトラックアッセンブリを必要なときに２種類の対向する向きのどちらにでも取り付けることができる。
【００７５】
図３９ないし図４１を参照するに、靴１０８は、靴底のアーチ領域の下に取り付けられた二つのトラックアッセンブリ１１０を有する。トラックアッセンブリ１１０は、２つの独立した傾斜可能なホイールアクスル１１２を支持し、ホイールアクスル１１２はそれぞれ、ジョイントトラックアッセンブリベース１１４の対応ソケット内で回転可能な対応ピボットピン９２を備えている。トラックアクスル１１２は、より積極的な操縦感のため対向配置され、両足を乗せる長いボードを必要とするよりはむしろ靴底の幅Ｗ２の範囲内に、靴１０８に従来のスケートボードの操縦能力の全てを与える。好ましくは、二つのトラックアッセンブリ１１０の全ホイールベースＷＢは、約２．０インチ（５１ミリメートル）かまたはそれ以下である。１つの好ましい実施形態では、約１２インチ（３０．５センチメートル）の靴底全長ＬＳを有するサイズ９の男性用靴で、ホイールベースＷＢは、約２．０インチ（５１ミリメートル）であり、ホイール中央面の間の前後距離ＴＢは、約３．０インチ（７６ミリメートル）である。ゆえに、ホイール中心軌道幅ＴＢおよびホイールベースＷＢは、靴長のそれぞれ約３０パーセントおよび２０パーセントである。２つのこのような靴１０８を履くことによって、装着者は、その両足を横向き滑走や操縦の間で幾つもの位置に位置決めでき、スケートボードでは不可能な操作が可能となる。上述のある他の実施形態と同様に、靴１０８の靴底の足指および母指球領域１１３は、トラックアッセンブリやそのホイール９０によって邪魔されないので、装着者は、滑走しないとき靴底の前部でつま先歩行が可能となる。踵歩行も、靴底の露出した踵表面１１１で可能である。靴底は、より快適な歩行を行うためアーチ領域の前方が可撓性であることが好ましい。上述のトラック実施形態と同様に、二つのトラックアッセンブリ１１０も靴底に着脱可能に取り付けられる。
【００７６】
図４２および図４３の靴１１６は、横方向に滑走するために、アーチ領域に取り付けた２輪式ローラーアッセンブリ１１８を有するが（図３９の靴と同様）、歩行のために、靴の靴底内に容易に格納可能となるように構成される。その延ばした位置において（図４２）、ホイール９０は、靴底の下部表面１２０の下に部分的に配置され、手動操作可能なラッチ１２２によってその位置に保持される。収納されると（図４３）、全ローラーアッセンブリ１１８は、靴底内に画定された凹所１２４内に収容される。ラッチ１２２およびアクスル１２６は、両方ともそれぞれのピン１２８および１３０の回りを回動するように靴に取り付けられ、図４３に示された位置に向かってねじりバネ（図示せず）によって付勢される。このような格納性は、幾つかの上述のローラー構成に容易に組み込まれることは理解されよう。
【００７７】
図４４ないし図４７は、スケート、スケートボードなどで使用する可動型ローラートラックアッセンブリ１３２を示す。この示された例は、例えば、前掲の横向き滑走用靴の実施形態に組み込むために、約１．０インチ（２５ミリメートル）よりも小さい有用で低い全高「ＨＴ」で構成できる。アッセンブリの３つの主要な要素は、硬質の取付ブラケット１３４、２つの弾性の楔状のブッシュ１３６、および２つのホイール９０を支持するアクスル１３８である。トラックアッセンブリを組み立てるには、最初に、２つの楔状のブッシュがブラケット１３４の中央ウエブ１４０のいずれかの側の対応区画内に配置される。次に、アクスル１３８がブラケット１３４の固定ピン１４２の上から滑入され、アクスル１３８がブッシュの角度付き前部表面に接触する。所定位置において、アクスル１３８は、協働してブッシング１３６をそれらの区画内に保持する。アクスル１３８は、保持クリップ１４４または他の締結手段によってピン１４２上で軸方向に保持される。アクスルが、示されるようにアクスルの内側端部においてアクスルとブラケットの間に隙間ができるように構成される場合、例えば、ブッシュに予荷重を長期間維持するために、ピン１４２の遠位端において調節可能なロックナット（図示せず）を採用してもよい。この配置もブッシュの追従性が通常のホイール負荷を僅かに緩和させ、同じように、必要なら補助的なブッシュワッシャ（図示せず）をピン１４２の内側端部におけるアクスルとブラケットの間に配置してもよい。あるいは、アクスル１３８は、これがブラケット１３４の硬質の停止面と接触するまで、ピン１４２に沿って滑動するように構成されてもよい。使用中、ブラケットピン１４２の周りのアクスル１３８に加えられるトルクは、ブッシュの一方または他方を弾性的に圧縮してピン１４２の回りでのアクスルの操縦を可能にする。ブッシュ１３６は、例えば、約５０〜９５ショアＡ（shore A）の硬度を有するポリウレタンから成形される。
【００７８】
図４６を参照するに、アクスル１３８は、ブラケットのピンを受け入れる開口した円形のスロット１４８を画定する中央体１４６を有する。スロット１４８は、断面で、１８０度超の画定された円を包囲するので、ピンを半径方向に保持することができる。スロット１４８の開口側は、ブラケットの中央ウエブを収容する。スロット１４８側の表面１５０は、使用時のブッシュの角度付き表面に当接する。直径が約０．２５インチ（６ミリメートル）のアクスルピン１５２は、中央体１４６のボア内で固定され、公知の技術で構成されてホイールを支持する。
【００７９】
図４７は、取付ブラケット１３４の構造を示す。ピン１４２は、直径が約０．２５インチ（６ミリメートル）のものであり、ブラケットの下方部分の穴に圧入されると共に、追加の支持のために、中央ウエブ１４０にろう付けされる。ブラケットの後部壁１５４は、ブラケットの後隅の周りの中央ウエブから延びて、クッション区画１５６を画定する。ピン１４２の遠位端における溝１５８は、保持クリップを受け入れる。
【００８０】
図４８ないし図５０は、可動型トラックアッセンブリ８４ならびに非可動型ホイール１６２をそれぞれが備えた一足の靴１６０Ｌおよび１６０Ｒを示す。各靴では、非可動型ホイールは、トラックアッセンブリ８４の内側に示されていると共に、図３１および図３２の実施形態と比べて、各靴の付加的安定性のための第３の接触ホイールを提供する。ホイール１６２はそれぞれ、それら自体のアクスル１６４の回りを回転するように取り付けられると共に、トラックアッセンブリ８４から横方向に間隔をおいて配置され、さらに、トラックアッセンブリの共通ベース１６８から延びる硬質のフランジ１６６間で支えられている。
【００８１】
本発明の多数の実施形態が説明された。但し、様々な変形が本発明の趣旨および範囲を逸脱することなく実施されても良いことは理解されよう。従って、他の実施形態も特許請求の範囲内にある。
【図面の簡単な説明】
【００８２】
【図１】靴底にローラーを有する靴を履いての歩道「サーフィン」を示す。
【図２】靴底にローラーを有する靴を履いての歩道「グラインド」を示す。
【図３】第１の靴の側面図である。
【図４】第１の靴の背面図である。
【図５】第１の靴の底面図である。
【図５Ａ】第１の靴の代わりの底面図である。
【図５Ｂ】第１の靴の代わりの底面図である。
【図６】第２の靴の側面図である。
【図７】第２の靴の底面図である。
【図８】第３の靴の部分底面図である。
【図９】第３の靴の背面図である。
【図１０】第４の靴の側面図である。
【図１１】第４の背面図である。
【図１２】第４の底面図である。
【図１３】第５の靴の側面図である。
【図１４】第５の靴の底面図である。
【図１５】第６の靴の部分側面図である。
【図１６】第６の靴の底面図である。
【図１７】第７の靴の部分側面図である。
【図１８】第７の靴の底面図である。
【図１９】第８の靴の側面図である。
【図２０】第８の底面図である。
【図２１】第９の靴の側面図である。
【図２２】第９の靴の底面図である。
【図２３】第９の靴の背面図である。
【図２４】歩行のために埋め込まれたローラーを備えた第１０の靴の側面図である。
【図２５】歩行のために埋め込まれたローラーを備えた第１０の靴の底面図である。
【図２６】横方向滑走のために露出したローラーを備えた第１０の靴の側面図である。
【図２７】横方向滑走のために露出したローラーを備えた第１０の靴の底面図である。
【図２８Ａ】多様なローラー構造を示す。
【図２８Ｂ】多様なローラー構造を示す。
【図２８Ｃ】多様なローラー構造を示す。
【図２８Ｄ】多様なローラー構造を示す。
【図２８Ｅ】多様なローラー構造を示す。
【図２８Ｆ】多様なローラー構造を示す。
【図２８Ｇ】多様なローラー構造を示す。
【図２８Ｈ】多様なローラー構造を示す。
【図２９】可動型トラックアッセンブリを備えた右側の靴の側面図である。
【図３０】可動型トラックアッセンブリを備えた右側の靴の底面図である。
【図３１】可動型トラックアッセンブリを備えた右側の靴の背面図である。
【図３２】可動型トラックアッセンブリを備えた左側の靴の背面図である。
【図３３】トラックアッセンブリを備えた第２の靴の底面図である。
【図３４】図３３の線３４−３４に沿って切断した断面図である。
【図３５】図３３の靴のトラックアッセンブリの側面図である。
【図３６】トラックアッセンブリを備えた第３の靴の底面図である。
【図３７】トラックアッセンブリを備えた第３の靴の背面図である。
【図３８】図３６の靴のトラックアッセンブリの側面図である。
【図３９】二つのトラックアッセンブリを備えた靴の側面図である。
【図４０】二つのトラックアッセンブリを備えた靴の底面図である。
【図４１】断面で示された二つのトラックアッセンブリを備えた図３９の靴の背面図である。
【図４２】靴底のアーチ領域内に格納式ホイールアッセンブリを備えた靴の背面図であり、ホイールアッセンブリをその延ばした位置で示すと共に、靴底を断面で示した図である。
【図４３】靴底のアーチ領域内に格納式ホイールアッセンブリを備えた靴の背面図であり、ホイールアッセンブリをその引き込んだ位置で示すと共に、靴底を断面で示した図である。
【図４４】２個のホイール付きトラックアッセンブリの側面図であり、ホイールを破線で示した図である。
【図４５】図４４のトラックアッセンブリの分解図であり、ホイールがない図である。
【図４６】図４４のトラックアッセンブリのアクスルの斜視図である。
【図４７】図４４のトラックアッセンブリの取付ブラケットの斜視図である。
【図４８】操縦可能なトラックアッセンブリと操縦不能なホイールとの両方を備えた左側の靴の背面図である。
【図４９】操縦可能なトラックアッセンブリと操縦不能なホイールとの両方を備えた右側の靴の背面図である。
【図５０】図４９の靴の底面図である。
【図１】
2005517513.tif 000003
【図２】
2005517513.tif 000004
【図３】
2005517513.tif 000005
【図４】
2005517513.tif 000006
【図５】
2005517513.tif 000007
【図５Ａ】
2005517513.tif 000008
【図５Ｂ】
2005517513.tif 000009
【図６】
2005517513.tif 000010
【図７】
2005517513.tif 000011
【図８】
2005517513.tif 000012
【図９】
2005517513.tif 000013
【図１０】
2005517513.tif 000014
【図１１】
2005517513.tif 000015
【図１２】
2005517513.tif 000016
【図１３】
2005517513.tif 000017
【図１４】
2005517513.tif 000018
【図１５】
2005517513.tif 000019
【図１６】
2005517513.tif 000020
【図１７】
2005517513.tif 000021
【図１８】
2005517513.tif 000022
【図１９】
2005517513.tif 000023
【図２０】
2005517513.tif 000024
【図２１】
2005517513.tif 000025
【図２２】
2005517513.tif 000026
【図２３】
2005517513.tif 000027
【図２４】
2005517513.tif 000028
【図２５】
2005517513.tif 000029
【図２６】
2005517513.tif 000030
【図２７】
2005517513.tif 000031
【図２８Ａ】
2005517513.tif 000032
【図２８Ｂ】
2005517513.tif 000033
【図２８Ｃ】
2005517513.tif 000034
【図２８Ｄ】
2005517513.tif 000035
【図２８Ｅ】
2005517513.tif 000036
【図２８Ｆ】
2005517513.tif 000037
【図２８Ｇ】
2005517513.tif 000038
【図２８Ｈ】
2005517513.tif 000039
【図２９】
2005517513.tif 000040
【図３０】
2005517513.tif 000041
【図３１】
2005517513.tif 000042
【図３２】
2005517513.tif 000043
【図３３】
2005517513.tif 000044
【図３４】
2005517513.tif 000045
【図３５】
2005517513.tif 000046
【図３６】
2005517513.tif 000047
【図３７】
2005517513.tif 000048
【図３８】
2005517513.tif 000049
【図３９】
2005517513.tif 000050
【図４０】
2005517513.tif 000051
【図４１】
2005517513.tif 000052
【図４２】
2005517513.tif 000053
【図４３】
2005517513.tif 000054
【図４４】
2005517513.tif 000055
【図４５】
2005517513.tif 000056
【図４６】
2005517513.tif 000057
【図４７】
2005517513.tif 000058
【図４８】
2005517513.tif 000059
【図４９】
2005517513.tif 000060
【図５０】
2005517513.tif 000061
【国際調査報告】
2005517513.tif 000062
2005517513.tif 000063